(57)【要約】【課題】リンク状態が断となった場合でもデータ送受信およびデータの復元が可能なシリアルインターフェース回路を提供する。【解決手段】送信側ユニットは、ベースバンド信号を並列化して複数のパラレル信号とする並列化回路と、複数のパラレル信号を受け、それぞれ複数の無線リンクに出力する送信側インターフェース制御回路と、を有し、受信側ユニットは、複数の無線リンクから出力される複数のパラレル信号を受けて出力すると共に、複数の無線リンクのそれぞれリンク状態を判断してリンク状態信号として出力する受信側インターフェース制御回路と、受信側インターフェース制御回路から出力される複数のパラレル信号と前記リンク状態信号とを受け、リンク状態信号に基づいて、複数のパラレル信号を選択的に出力する出力選択回路と、出力選択回路の出力を受けて補間を行うオーバーサンプリングフィルタとを有している。【選択図】図２
2017208759.tif 000002
【特許請求の範囲】
【請求項１】
ベースバンドユニットと無線ユニットとの間で、複数の無線リンクを介してベースバンド信号を送受信するシリアルインターフェース回路であって、
前記ベースバンドユニットおよび前記無線ユニットの一方を送信側ユニット、他方を受信側ユニットとした場合に、
前記送信側ユニットは、
前記ベースバンド信号を並列化して複数のパラレル信号とする並列化回路と、
前記複数のパラレル信号を受け、それぞれ前記複数の無線リンクに出力する送信側インターフェース制御回路と、を有し、
前記受信側ユニットは、
前記複数の無線リンクから出力される前記複数のパラレル信号を受けて出力すると共に、前記複数の無線リンクのそれぞれリンク状態を判断してリンク状態信号として出力する受信側インターフェース制御回路と、
前記受信側インターフェース制御回路から出力される前記複数のパラレル信号と前記リンク状態信号とを受け、前記リンク状態信号に基づいて、前記複数のパラレル信号を選択的に出力する出力選択回路と、
前記出力選択回路の出力を受けて補間を行うオーバーサンプリングフィルタと、を有し、
前記出力選択回路は、
前記複数の無線リンクのうち、奇数番の無線リンクにリンク断が発生している場合には、全ての奇数番の無線リンクから与えられるパラレル信号の出力を遮断し、
前記複数の無線リンクのうち、偶数番の無線リンクにリンク断が発生している場合には、全ての偶数番の無線リンクから与えられるパラレル信号の出力を遮断する、シリアルインターフェース回路。
【請求項２】
ベースバンドユニットと無線ユニットとの間で、複数の無線リンクを介してベースバンド信号を送受信するシリアルインターフェース回路であって、
前記ベースバンドユニットおよび前記無線ユニットの一方を送信側ユニット、他方を受信側ユニットとした場合に、
前記送信側ユニットは、
前記ベースバンド信号を並列化して複数のパラレル信号とすると共に、前記複数の無線リンクにリンク断が発生している場合は、前記複数のパラレル信号の並列化の順番を入れ替える並列化回路と、
前記複数のパラレル信号を受けてそれぞれ前記複数の無線リンクに出力すると共に、前記複数の無線リンクのそれぞれのリンク状態を判断して第１のリンク状態信号として出力する送信側インターフェース制御回路と、を有し、
前記受信側ユニットは、
前記複数の無線リンクから出力される前記複数のパラレル信号を受けて出力すると共に、前記複数の無線リンクのそれぞれリンク状態を判断して第２のリンク状態信号として出力する受信側インターフェース制御回路と、
前記受信側インターフェース制御回路から出力される前記複数のパラレル信号と前記第２のリンク状態信号とを受け、前記第２のリンク状態信号に基づいて、リンク断ではない無線リンクを通過したパラレル信号を並べ変えて出力する出力選択回路と、
前記出力選択回路の出力を受けて補間を行うオーバーサンプリングフィルタと、を有し、
前記並列化回路は、
前記第１のリンク状態信号を受け、
偶数番または奇数番の無線リンクにリンク断が発生している場合には、偶数番または奇数番の無線リンクのうち、リンク断が発生していない無線リンクに、リンク断が発生している無線リンクを介して送信されるはずであったパラレル信号が与えられるように前記複数のパラレル信号の並列化の順番を入れ替え、
前記出力選択回路は、
前記並列化回路で順番が入れ替えられたパラレル信号が、前記複数の無線リンクにリンク断が発生していない場合に前記並列化回路で並列化される順番に戻るように並べ変えて出力する、シリアルインターフェース回路。
【請求項３】
前記送信側ユニットは、
前記並列化回路の前段に、通過周波数帯を前記第１のリンク状態信号に基づいて動的に変える低域帯通過フィルタをさらに有する、請求項２記載のシリアルインターフェース回路。
【請求項４】
前記低域帯通過フィルタは、
前記第１のリンク状態信号に基づいて複数のフィルタ係数のうち１つを選択して出力するセレクタと、
前記セレクタから入力されるフィルタ係数に基づいて通過周波数帯を設定し、設定された通過周波数帯に基づいて前記ベースバンド信号の通過帯域を制限して出力するフィルタ回路と、を含む、請求項３記載のシリアルインターフェース回路。
【請求項５】
前記低域帯通過フィルタは、
前記第１のリンク状態信号に基づいて、前記複数の無線リンクのうちリンク断の本数が全体の４分の１以下であれば、通過周波数帯を前記ベースバンド信号のサンプリング周波数の４分の１に制限するフィルタ係数を設定し、リンク断の本数が全体の２分の１以下であれば、通過周波数帯を、前記ベースバンド信号のサンプリング周波数の８分の１に制限するフィルタ係数を設定し、リンク断の本数が全体の４分の３以下であれば、通過周波数帯を、前記ベースバンド信号のサンプリング周波数の１６分の１に制限するフィルタ係数を設定する、請求項３記載のシリアルインターフェース回路。
【請求項６】
前記オーバーサンプリングフィルタは、
前記出力選択回路の出力を直接受ける低域帯通過フィルタを含む、請求項１または請求項２記載のシリアルインターフェース回路。
【発明の詳細な説明】
【技術分野】
【０００１】
本発明はシリアルインターフェース回路に関し、特に、無線基地局装置のベースバンド処理装置とアンテナ側装置の間の相互接続を行うシリアルインターフェース回路に関する。
【背景技術】
【０００２】
無線基地局装置において、ベースバンドユニット（ＢＢＵ：Base Band Unit）と無線ユニット（ＲＲＨ：Remote Radio Head）との間でベースバンド信号を送受信するためのインターフェースとして、ＣＰＲＩ（Common Public Radio Interface）が挙げられる（非特許文献１）。
【０００３】
また、１つのＣＰＲＩリンクでの最大データ伝送能力を超えた大容量転送に対応するため、１つのＢＢＵと１つのＲＲＨを複数のＣＰＲＩリンクで接続すること技術が開発されている（特許文献１）。
【先行技術文献】
【特許文献】
【０００４】
【特許文献１】特許第４８１４９９２号公報
【非特許文献】
【０００５】
【非特許文献１】ＣＰＲＩ Ｓｐｅｃｉｆｉｃａｔｉｏｎ Ｖ６．１（2014-07-01）
【発明の概要】
【発明が解決しようとする課題】
【０００６】
特許文献１で開示されている技術では、転送するデータを分割し、分割データを複数のリンクで転送し、転送した分割データを元のデータに復元するようにしている。ところが、複数のリンクのうち１つでもリンク状態が断となった場合のデータ送受信およびデータの復元方法については開示されていない。
【０００７】
本発明は上記のような問題を解決するためになされたものであり、ＣＰＲＩリンクにおいてリンク状態が断となった場合でもデータ送受信およびデータの復元が可能なシリアルインターフェース回路を提供することを目的とする。
【課題を解決するための手段】
【０００８】
本発明に係るシリアルインターフェース回路は、ベースバンドユニットと無線ユニットとの間で、複数の無線リンクを介してベースバンド信号を送受信するシリアルインターフェース回路であって、前記ベースバンドユニットおよび前記無線ユニットの一方を送信側ユニット、他方を受信側ユニットとした場合に、前記送信側ユニットは、前記ベースバンド信号を並列化して複数のパラレル信号とする並列化回路と、前記複数のパラレル信号を受け、それぞれ前記複数の無線リンクに出力する送信側インターフェース制御回路と、を有し、前記受信側ユニットは、前記複数の無線リンクから出力される前記複数のパラレル信号を受けて出力すると共に、前記複数の無線リンクのそれぞれリンク状態を判断してリンク状態信号として出力する受信側インターフェース制御回路と、前記受信側インターフェース制御回路から出力される前記複数のパラレル信号と前記リンク状態信号とを受け、前記リンク状態信号に基づいて、前記複数のパラレル信号を選択的に出力する出力選択回路と、前記出力選択回路の出力を受けて補間を行うオーバーサンプリングフィルタと、を有し、前記出力選択回路は、前記複数の無線リンクのうち、奇数番の無線リンクにリンク断が発生している場合には、全ての奇数番の無線リンクから与えられるパラレル信号の出力を遮断し、前記複数の無線リンクのうち、偶数番の無線リンクにリンク断が発生している場合には、全ての偶数番の無線リンクから与えられるパラレル信号の出力を遮断する。
【発明の効果】
【０００９】
本発明に係るシリアルインターフェース回路によれば、複数の無線リンクのうち幾つかリンクが断状態となった場合でも、ベースバンド信号のエイリアシングが発生することを抑制しながらベースバンド信号を復元できる。
【図面の簡単な説明】
【００１０】
【図１】移動無線ネットワークシステムの全体構成を示すブロック図である。
【図２】本発明に係る実施の形態１のシリアルインターフェース回路の構成を示すブロック図である。
【図３】本発明に係る実施の形態１のシリアルインターフェース回路の構成を示すブロック図である。
【図４】一般的なオーバーサンプリング処理を説明する図である。
【図５】リンク断発生時の、ベースバンド信号および周波数スペクトルを示す図である。
【図６】出力選択回路の制御動作を説明するフローチャートである。
【図７】本発明に係る実施の形態２のシリアルインターフェース回路の構成を示すブロック図である。
【図８】本発明に係る実施の形態２のシリアルインターフェース回路の構成を示すブロック図である。
【図９】並列化の順番を入れ替える動作を説明するフローチャートである。
【図１０】ベースバンド信号を並べ変える動作を説明するフローチャートである。
【図１１】リンク断発生時の、ベースバンド信号および周波数スペクトルを示す図である。
【図１２】本発明に係る実施の形態３のシリアルインターフェース回路の構成を示すブロック図である。
【図１３】本発明に係る実施の形態３のシリアルインターフェース回路の構成を示すブロック図である。
【図１４】低域帯通過フィルタの構成を示すブロック図である。
【図１５】低域帯通過フィルタを設けない場合の送信側および受信側のベースバンド信号および周波数スペクトルを示す図である。
【図１６】低域帯通過フィルタを設けた場合の送信側および受信側のベースバンド信号および周波数スペクトルを示す図である。
【図１７】フィルタ係数の設定動作を説明するフローチャートである。
【図１８】Ｉ／Ｑデータのサンプリングを説明する図である。
【発明を実施するための形態】
【００１１】
＜実施の形態１＞
＜装置構成＞
以下、本発明に係る実施の形態１について図１〜図６を用いて説明する。図１は本発明の前提となる移動無線ネットワークシステム１０００の全体構成を示す図である。
【００１２】
図１に示すように移動無線ネットワークシステム１０００は、公衆網等のネットワーク３０には、無線基地局装置１０、２０およびネットワーク上の装置９０が接続される。ここで、無線基地局装置１０は無線回線７０を通して移動端末８０ａ、８０ｂ、・・・、８０ｍなどの複数の移動端末と接続され、無線基地局装置２０は、移動端末８０ｘと接続される例を示している。
【００１３】
次に、移動端末８０ａ、８０ｂ、・・・、８０ｍが、移動端末８０ｘあるいはネットワーク上の装置９０と接続する手順を用いて無線基地局装置１０の動作について説明する。すなわち、無線基地局装置１０は、ネットワーク３０から与えられるデジタルデータを無線信号に変調することで、当該デジタルデータを無線回線７０を通して移動端末８０ａ、８０ｂ、・・・、８０ｍに無線信号として送信する（下り通信）。また、無線基地局装置１０は、無線回線７０を通して移動端末８０ａ、８０ｂ、・・・、８０ｍから送信された無線信号を受信し、当該無線信号を復調することでデジタルデータとし、ネットワーク３０に送信する（上り通信）。
【００１４】
また、無線基地局装置１０は、無線回線７０の状態を測定することで、配下にある移動端末８０ａ、８０ｂ、・・・、８０ｍへの帯域割り当てなどの制御を行う。
【００１５】
次に、図１を用いて無線基地局装置１０の構成の概要を説明する。図１に示すように、無線基地局装置１０は、ベースバンドユニット（ＢＢＵ）４０、無線ユニット（ＲＲＨ）６０およびＢＢＵ４０とＲＲＨ６０を接続するリンク５０ａ、５０ｂ、・・・、５０ｎを備えている。
【００１６】
ＢＢＵ４０は、下り通信において送信側ユニットとして機能し、ネットワーク３０から与えられるデジタルデータを、無線変調に用いるベースバンド信号に変換して、リンク５０ａ、５０ｂ、・・・、リンク５０ｎを介してＲＲＨ６０に送信すると共に、上り通信において受信側ユニットとして機能し、ＲＲＨ６０から与えられるベースバンド信号をデジタルデータに変換して、ネットワーク３０に送信する。
【００１７】
また、ＲＲＨ６０は、下り通信において受信側ユニットとして機能し、ＢＢＵ４０からリンク５０ａ、５０ｂ、・・・、リンク５０ｎを介して送信されたベースバンド信号に対して無線変調を行うことで無線信号に変換し、移動端末８０ａ、８０ｂ、・・・、８０ｍに送信すると共に、上り通信において送信側ユニットとして機能し、移動端末８０ａ、８０ｂ、・・・、８０ｍから送信された無線信号を復調してベースバンド信号に変換し、リンク５０ａ、５０ｂ、・・・、５０ｎを介してＢＢＵ４０に送信する。
【００１８】
ここで、ＢＢＵ４０と、ＲＲＨ６０は、１つの装置として構成されていても、あるいは別々の装置として構成されていても良い。また、リンク５０ａ、５０ｂ、・・・、５０ｎは、高速シリアルインターフェースの１つであるＣＰＲＩを用いるものとしているが、ＣＰＲＩに限定されるものではなく、例えば１０ＧビットのインターフェースであるＸＡＵＩ、１０ＧＢＡＳＥ−Ｒなどを用いても良い。
【００１９】
また、ＢＢＵ４０とＲＲＨ６０を接続するリンクの本数は、ＢＢＵ４０とＲＲＨ６０の間で送受信されるべきデータレートおよび各リンクが送受信可能なデータレートにより決まる値であり、特定の値に限定されるものではない。
【００２０】
次に、図２および図３に示すブロック図を用いて、本発明に係る実施の形態１のシリアルインターフェース回路について説明する。なお、図２および図３は１つのブロック図を分割して表した図であり、図中の破断線部分で結合することで１つの図となる。
【００２１】
図２および図３においては、無線基地局装置１０におけるシリアルインターフェース回路を示しており、図３に示すＢＢＵ４０は、ベースバンド信号からデジタルデータへの変換を行うベースバンド／デジタル変換回路１８０、デジタルデータからベースバンド信号への変換を行うデジタル／ベースバンド変換回路１９０、オーバーサンプリングフィルタ１００、ベースバンド信号をパラレル変換して並列化する並列化回路１１０、出力選択回路２５０、インターフェース制御回路１２０、トランシーバ１３０ａ、１３０ｂ、・・・、１３０ｎを備えている。
【００２２】
また、図２に示すＲＲＨ６０は、アンテナ２２０、無線復調回路２００、無線変調回路２１０、ベースバンド信号をパラレル変換して並列化する並列化回路１６０、オーバーサンプリングフィルタ１７０、出力選択回路２３０、インターフェース制御回路１５０、トランシーバ１４０ａ、１４０ｂ、・・・、１４０ｎを備えている。
【００２３】
そして、ＢＢＵ４０のトランシーバ１３０ａ、１３０ｂ、・・・、１３０ｎと、ＲＲＨ６０のトランシーバ１４０ａ、１４０ｂ、・・・、１４０ｎとの間は、それぞれリンク５０ａ、５０ｂ・・リンク５０ｎによって接続される。
【００２４】
＜動作＞
次に、下り通信および上り通信におけるデータの流れについて説明する。まず、下り通信において、ネットワーク３０からＢＢＵ４０に入力されたデジタルデータは、デジタル／ベースバンド変換回路１９０においてデジタルデータからベースバンド信号に変換された後、並列化回路１１０に出力され、パラレル信号に変換されてインターフェース制御回路１２０（下り通信では受信側インターフェース制御回路となる）に入力される。そして、パラレル信号となったベースバンド信号は、インターフェース制御回路１２０を介してトランシーバ１３０ａ、１３０ｂ、・・・、１３０ｎに入力され、トランシーバ１３０ａ、１３０ｂ、・・・、１３０ｎのそれぞれは、パラレル信号となったベースバンド信号を、リンク５０ａ、５０ｂ、・・・、５０ｎを介してＲＲＨ６０のトランシーバ１４０ａ、１４０ｂ、・・・、１４０ｎに送信する。トランシーバ１４０ａ、１４０ｂ、・・・、１４０ｎのそれぞれは、受信したベースバンド信号をインターフェース制御回路１５０に出力し、インターフェース制御回路１５０（下り通信では送信側インターフェース制御回路となる）は、出力選択回路２３０にベースバンド信号を出力する。そして、出力選択回路２３０は、ベースバンド信号をオーバーサンプリングフィルタ１７０に出力する。オーバーサンプリングフィルタ１７０から出力されるベースバンド信号は、無線変調回路２１０で無線信号に変調され、アンテナ２２０から無線回線７０を経て、移動端末８０ａ、８０ｂ、・・・、８０ｍに送信される。
【００２５】
一方、上り通信では、移動端末８０ａ、８０ｂ、・・・、８０ｍから送信される無線信号は、ＲＲＨ６０のアンテナ２２０で受信され、無線復調回路２００でベースバンド信号に変調されて並列化回路１６０に入力され、パラレル信号に変換されてインターフェース制御回路１５０（上り通信では送信側インターフェース制御回路となる）に入力される。そして、パラレル信号となったベースバンド信号は、インターフェース制御回路１５０を介してトランシーバ１４０ａ、１４０ｂ、・・・、１４０ｎに入力され、トランシーバ１４０ａ、１４０ｂ、・・・、１４０ｎのそれぞれは、パラレル信号となったベースバンド信号を、リンク５０ａ、５０ｂ、・・・、５０ｎを介してＢＢＵ４０のトランシーバ１３０ａ、１３０ｂ、・・・、１３０ｎに送信する。トランシーバ１３０ａ、１３０ｂ、・・・、１３０ｎのそれぞれは、受信したベースバンド信号をインターフェース制御回路１２０（下り通信では受信側インターフェース制御回路となる）に出力し、インターフェース制御回路１２０は、出力選択回路２５０にベースバンド信号を入力する。そして、出力選択回路２５０は、ベースバンド信号をオーバーサンプリングフィルタ１００に入力する。オーバーサンプリングフィルタ１００から出力されるベースバンド信号は、ベースバンド／デジタル変換回路１８０でデジタルデータに変換され、ネットワーク３０に出力される。
【００２６】
次に、下り通信、上り通信のそれぞれについて、無線基地局装置１０の各部の動作について説明する。
【００２７】
下り通信では、ネットワーク３０から入力されたデジタルデータは、ＢＢＵ４０のデジタル／ベースバンド変換回路１９０において、無線通信におけるデジタル変調データ（ベースバンド信号）に変換される。ここでは、例えば、ＯＦＤＭ（Orthogonal Frequency Division Multiplexing）変調、ＱＰＳＫ（Quadrature Phase Shift Keying）変調などの処理を行う。
【００２８】
並列化回路１１０では、ベースバンド信号（デジタル変調データ）をトランシーバ１３０ａ、１３０ｂ、・・・、１３０ｎの個数分にパラレル変換し、インターフェース制御回路１２０に入力する。
【００２９】
インターフェース制御回路１２０では、パラレル変換されたベースバンド信号を、ＲＲＨ６０に送信するためのプロトコルに従って変換し、トランシーバ１３０ａ、１３０ｂ、・・・、１３０ｎに入力する。
【００３０】
上記のプロトコルとしては、例えば、ＣＰＲＩが挙げられ、以下ではＣＰＲＩを用いる場合について説明する。
【００３１】
トランシーバ１３０ａ、１３０ｂ、・・・、１３０ｎは、インターフェース制御回路１２０から入力されたデータを、リンク５０ａ、５０ｂ、・・・、５０ｎを用いて、ＲＲＨ６０のトランシーバ１４０ａ、１４０ｂ、・・・、１４０ｎに送信する。
【００３２】
トランシーバ１４０ａ、１４０ｂ、・・・、１４０ｎは、ＢＢＵ４０から受信したデータをインターフェース制御回路１５０に入力する。
【００３３】
インターフェース制御回路１５０は、インターフェース制御回路１２０で変換されたデータを逆変換してデジタル変調データに復元し、出力選択回路２３０に入力する。
【００３４】
また、インターフェース制御回路１５０は、トランシーバ１４０ａ、１４０ｂ、・・・、１４０ｎから障害通知を受け取るか、または受信データが出力されないことを検出することでリンク断を判断し、リンク断の状態をリンク状態信号２４０として出力選択回路２３０およびオーバーサンプリングフィルタ１７０に入力する。
【００３５】
出力選択回路２３０は、リンク状態信号２４０の入力を受けて、トランシーバ１４０ａ、１４０ｂ、・・・、１４０ｎを介して入力されたベースバンド信号のうち、特定のトランシーバからの入力を遮断し、オーバーサンプリングフィルタ１７０に出力する。
【００３６】
オーバーサンプリングフィルタ１７０は、リンク状態信号２４０に基づいて、リンク断によって欠落したベースバンド信号の補間処理を行う。なお、オーバーサンプリングフィルタ１７０は、リンク断がない場合は補間処理を行わない。
【００３７】
無線変調回路２１０では、オーバーサンプリングフィルタ１７０から出力されたベースバンド信号を入力として、搬送波のアナログ変調を行う。
【００３８】
アンテナ２２０では、無線変調回路２１０から入力されたアナログ変調された変調波を無線信号に変換して、移動端末８０ａ、８０ｂ、・・・、８０ｍに送信する。
【００３９】
上り通信の場合は、移動端末８０ａ、８０ｂ、・・・、８０ｍから送信された無線信号をアンテナ２２０が受信し、受信信号を無線復調回路２００によってベースバンド信号（デジタル復調信号）に変換する。
【００４０】
並列化回路１６０では、無線復調回路２００から出力されるベースバンド信号をトランシーバ１４０ａ、１４０ｂ、・・・、１４０ｎの個数分にパラレル変換し、インターフェース制御回路１５０に入力する。
【００４１】
インターフェース制御回路１２０では、パラレル変換されたベースバンド信号を、ＢＢＵ４０に送信するためのプロトコルに従って変換し、トランシーバ１４０ａ、１４０ｂ、・・・、１４０ｎに入力する。
【００４２】
トランシーバ１４０ａ、１４０ｂ、・・・、１４０ｎは、インターフェース制御回路１５０から入力されたデータを、リンク５０ａ、５０ｂ、・・・、５０ｎを用いて、ＢＢＵ４０のトランシーバ１３０ａ、１３０ｂ、・・・、１３０ｎに送信する。
【００４３】
トランシーバ１３０ａ、１３０ｂ、・・・、１３０ｎは、ＲＲＨ６０から受信したデータをインターフェース制御回路１２０に入力する。
【００４４】
インターフェース制御回路１２０は、インターフェース制御回路１５０で変換されたデータを逆変換してデジタル変調データに復元し、出力選択回路２５０に入力する。
【００４５】
また、インターフェース制御回路１２０は、トランシーバ１３０ａ、１３０ｂ、・・・、１３０ｎから障害通知を受け取るか、または受信データが出力されないことを検出することでリンク断を判断し、リンク断の状態をリンク状態信号２６０として出力選択回路２５０およびオーバーサンプリングフィルタ１００に入力する。
【００４６】
オーバーサンプリングフィルタ１００は、リンク状態信号２６０に基づいて、リンク断によって欠落したベースバンド信号の補間処理を行う。なお、オーバーサンプリングフィルタ１００は、リンク断がない場合は補間処理を行わない。
【００４７】
ベースバンド／デジタル変換回路１８０では、ベースバンド信号を、ネットワーク３０に送信するために必要なフォーマットに変換してデジタルデータとし、ネットワーク３０に送信する。
【００４８】
ここで、一般的なオーバーサンプリング処理について図４を用いて説明する。図４は、一般的なオーバーサンプリングフィルタ２７１の構成を示すブロック図と、オーバーサンプリング処理を説明するスペクトル図を示している。
【００４９】
図４に示すようにオーバーサンプリングフィルタ２７１は、０補間回路２７２と低域帯通過フィルタ２７３とを有し、入力されたサンプリング周期２Ｔｓのベースバンド信号２７４（周波数スペクトル２７７で表される）に対し、０補間回路２７２において、値が０となるデータを埋め込むことで、サンプリング周期を２倍（Ｔｓ）に上げたベースバンド信号２７５を作る。
【００５０】
すなわち、ベースバンド信号２７４が｛（Ｉ０、Ｑ０）、（Ｉ２、Ｑ２）、（Ｉ４、Ｑ４）・・・｝である場合、０補間を行ってベースバンド信号２７５を｛（Ｉ０、Ｑ０）、（０、０）、（Ｉ２、Ｑ２）、（０、０）、（Ｉ４、Ｑ４）、（０、０）、・・・｝とする。
【００５１】
ベースバンド信号２７５の周波数スペクトル２７８は、上記の０補間により、周波数−１／（２Ｔｓ）〜−１／（４Ｔｓ）および１／（４Ｔｓ）〜１／（２Ｔｓ）の範囲で破線で示すエイリアシング（折り返し）が発生しているため、このエイリアシングを低域帯通過フィルタ２７３で抑制する。
【００５２】
ベースバンド信号２７５を低域帯通過フィルタ２７３によりフィルタリング処理することで、エイリアシングを抑えたベースバンド信号２７６（周波数スペクトル２７９で表される）を得る。ベースバンド信号２７６は｛（Ｉ０、Ｑ０）、（Ｉ１、Ｑ１）、（Ｉ２、Ｑ２）、（Ｉ３、Ｑ３）、（Ｉ４、Ｑ４）、（Ｉ５、Ｑ５）、・・・｝となる。
【００５３】
なお、図４は、サンプリング周波数を２倍とするオーバーサンプリングについて開示しているが、サンプリング周波数を４倍とするオーバーサンプリングについては、ベースバンド信号２７４に対し、値が０となるデータを１つのサンプリングあたり３つ連続で埋め込み、ベースバンド信号２７５を、｛（Ｉ０、Ｑ０）、（０、０）、（０、０）、（０、０）、（Ｉ２、Ｑ２）、（０、０）、（０、０）、（０、０）、（Ｉ４、Ｑ４）、・・・｝とする。
【００５４】
これに対し、本発明においては、オーバーサンプリング処理における０補間処理の代わりに、出力選択回路２３０（２５０）における出力選択を行っているため、オーバーサンプリングフィルタ１７０（１００）では、０補間回路を有さず、出力選択回路２３０（２５０）の出力は低域帯通過フィルタに直接与えられる。また、リンク断の状態を伝えるリンク状態信号２４０（２６０）に基づいて、低域帯通過フィルタを通過させる周波数帯を制御している。
【００５５】
また、並列化回路１１０でのパラレル変換により得る信号数は、トランシーバ１３０ａ、１３０ｂ、・・・、１３０ｎの個数（＝リンク数）であり、リンク数は、ＢＢＵからＲＲＨに（またはＲＲＨからＢＢＵに）送るべきデータレート、および、各リンクが送受信可能なデータレートにより決まる。このパラレル変換で得る信号数により、オーバーサンプリングの処理が変わるが、本発明では、説明の簡易化のため、リンク数を４として説明する。
【００５６】
図２および図３の構成においてリンク数が４つ（リンク＃０、リンク＃１、リンク＃２、リンク＃３）の場合、例えば、リンク＃１のみが、例えば、断線などの理由によりリンク断となった場合のベースバンド信号および周波数スペクトルについて、図５を用いて説明する。
【００５７】
図５に示すように並列化回路１１０にはベースバンド信号２８１（周波数スペクトル２８５で表される）が入力されるが、トランシーバ１３０ｂとトランシーバ１４０ｂとの間のリンク５０ｂ（リンク＃１）が断状態となることで、ここを通るデータが欠落し、リンク＃０、＃２および＃３を通るデータのみでベースバンド信号２８２が構成される。
【００５８】
ここで、ベースバンド信号２８２を図４を用いて説明した一般的なオーバーサンプリングフィルタ２７１に入力する場合を想定する。
【００５９】
オーバーサンプリングフィルタ２７１では、データの欠落があると、０補間回路２７２で０補間を行うが、ベースバンド信号２８２のうち、リンク＃０、＃２から出力されるデータを用いる場合は、リンク＃１、＃３から出力されるデータの代わりに０が補間され、ベースバンド信号２８３（周波数スペクトル２８７で表される）が構成される。
【００６０】
また、ベースバンド信号２８２のうち、リンク＃３から出力されるデータを用いる場合は、リンク＃０、＃１、＃２から出力されるデータの代わりに０が補間され、ベースバンド信号２８４（周波数スペクトル２８８で表される）が構成される。
【００６１】
図５に示すように、ベースバンド信号２８３は、０補間によりサンプリング周波数を２倍に上げたデータとなり、ナイキスト周波数はサンプリング周波数の４分の１となる。
【００６２】
また、ベースバンド信号２８４は、０補間によりサンプリング周波数を４倍に上げたデータとなり、ナイキスト周波数はサンプリング周波数の８分の１となる。従って、ベースバンド信号２８４に破線で示すエイリアシングａ１が発生してしまう。
【００６３】
このように、ベースバンド信号２８２をそのままオーバーサンプリングフィルタ１７０に入力すると、オーバーサンプリングフィルタ１７０からの出力はエイリアシングを含んだものとなってしまう。
【００６４】
これは、図５に示すように、ベースバンド信号２８２が、ベースバンド信号２８３とベースバンド信号２８４の和として表すことができ、周波数スペクトル２８８のように、エイリアシングａ１が元の周波数スペクトル信号と重なってしまうためである。
【００６５】
周波数スペクトル２８８のようにエイリアシングａ１が重なった状態のベースバンド信号２８２をオーバーサンプリングフィルタ１７０内の低域帯通過フィルタ２７３に通すと、正しく復元できず元のデータが得られないことになる。すなわち、ベースバンド信号２８２に対してベースバンド信号２８４がノイズとして影響することになる。
【００６６】
これに対して図２および図３に示すシリアルインターフェース回路では、リンク状態信号２４０を出力選択回路２３０に入力し、リンク＃１が断状態である情報に基づいてリンク＃３の出力を遮断する。この結果、オーバーサンプリングフィルタ１７０にはベースバンド信号２８３（周波数スペクトル２８７）のように、奇数のリンク番号（＃１、＃３）のデータが０となったベースバンド信号が入力されることとなり、オーバーサンプリングフィルタ１７０に入力されるベースバンド信号２８２から、ベースバンド信号２８４（周波数スペクトル２８８）の成分を除去することができる。
【００６７】
ここで、インターフェース制御回路１５０がリンク状態信号２４０を用いて出力選択回路２３０を制御する動作について、図６に示すフローチャートを用いて説明する。
【００６８】
インターフェース制御回路１５０は、トランシーバ１４０ａ、１４０ｂ、・・・、１４０ｎから障害通知を受け取るか、または受信データが出力されないことを検出することでリンク断が発生しているかを判定する（ステップＳ１）。
【００６９】
そして、リンク断が発生している場合には、リンク断が発生したリンクのリンク番号が偶数であるか否かを判定し（ステップＳ２）、偶数番のリンクである場合は、リンク番号が偶数であるリンクから出力されるデータの出力を遮断（マスク）するようにリンク状態信号２４０を設定し、出力選択回路２３０に与える（ステップＳ３）。
【００７０】
一方、ステップＳ２において、リンク断が発生したリンクのリンク番号が偶数ではないと判定された場合は、ステップＳ４において、リンク番号が奇数であるリンクから出力されるデータの出力を遮断（マスク）するようにリンク状態信号２４０を設定し、出力選択回路２３０に与える。
【００７１】
なお、ステップＳ１において、リンク断が発生していないと判定された場合は、リンク状態信号２４０は不活性状態とすることで出力選択回路２３０はデータの出力の遮断は行わず、また、オーバーサンプリングフィルタ１７０は、入力されたデータを低域帯通過フィルタに通さずに出力する。
【００７２】
そして、オーバーサンプリングフィルタ１７０では、リンク番号が奇数であるリンクから出力されるデータがマスクされたベースバンド信号（例えばベースバンド信号２８３）を直接に低域帯通過フィルタに入力することで、周期的に入っていた０が、ベースバンド信号２８１における（Ｉ１、Ｑ１）、（Ｉ３、Ｑ３）に復元され、トランシーバ１３０ｂおよびトランシーバ１４０ｂによって受送信されるはずであったベースバンドデータを復元することができる。
【００７３】
なお、低域帯通過フィルタによりデータの復元は、喪失したデータそのものを復元するものではないが、サンプリング定理によれば、スペクトル帯域をサンプリング周波数の４分の１とすれば、喪失したデータを滑らかにつないだ結果と同じになるとされており、正しく復元できることになる。
【００７４】
なお、上記では下り通信の際にリンク断が生じた場合について説明したが、上り通信の際にリンク断が生じた場合は、信号の経路が変わるだけであり、インターフェース制御回路１２０がリンク状態信号２６０を用いて出力選択回路２５０を制御することとなる。
【００７５】
＜実施の形態２＞
以上説明した本発明に係る実施の形態１では、インターフェース制御回路とオーバーサンプリングフィルタの間、すなわち受信側に出力選択回路を設けたが、送信側、すなわち並列化回路において、リンク状態に応じて並列に送信するベースバンド信号の順番を変えても良い。
【００７６】
すなわち、本発明に係る実施の形態２のシリアルインターフェース回路では、リンク断が発生した時点で失ったデータの復元を行い、その後は、リンク断のリンクを使用せず、残りのリンクを使用するようデータを再分配し、ＢＢＵ４０とＲＲＨ６０との間でデータの送受信を行うものとする。このようにすることで、リンク数を固定することなく、動的にリンク数の変動があっても、すなわち、リンク断が断続的に発生したり、復旧によってリンク数が増加したりしても、本発明を適用することで、データの復元ができると共に、使用可能なリンクへのデータの再分配によって、送受信データの信頼性を確保することが可能となる。なお、以下の説明では、最大リンク数については、一例として４つに固定している。
【００７７】
以下、図７および図８に示すブロック図を用いて、本発明に係る実施の形態２のシリアルインターフェース回路について説明する。なお、図７および図８は１つのブロック図を分割して表した図であり、図中の破断線部分で結合することで１つの図となる。
【００７８】
図７および図８においては、無線基地局装置１０におけるシリアルインターフェース回路を示しているが、図３に示したベースバンド信号からデジタルデータへの変換を行うベースバンド／デジタル変換回路１８０、デジタルデータからベースバンド信号への変換を行うデジタル／ベースバンド変換回路１９０、および図２に示したアンテナ２２０、無線復調回路２００、無線変調回路２１０などは図示を省略している。また、図２および図３に示したシリアルインターフェース回路と同一の構成については同一の符号を付し、重複する説明は省略する。
【００７９】
図８に示すようにＢＢＵ４０は、オーバーサンプリングフィルタ１００、ベースバンド信号をパラレル変換して並列化する並列化回路１１５、出力選択回路２５５、インターフェース制御回路１２０、トランシーバ１３０ａ、１３０ｂ、１３０ｃ、１３０ｄを備えている。
【００８０】
また、図７に示すようにＲＲＨ６０は、ベースバンド信号をパラレル変換して並列化する並列化回路１６５、オーバーサンプリングフィルタ１７０、出力選択回路２３５、インターフェース制御回路１５０、トランシーバ１４０ａ、１４０ｂ、１４０ｃ、１４０ｄを備えている。
【００８１】
そして、ＢＢＵ４０のトランシーバ１３０ａ、１３０ｂ、１３０ｃ、１３０ｄと、ＲＲＨ６０のトランシーバ１４０ａ、１４０ｂ、１４０ｃ、１４０ｄとの間は、それぞれリンク５０ａ、５０ｂ、５０ｃ、５０ｄによって接続される。
【００８２】
図８に示すＢＢＵ４０の並列化回路１１５は、リンク断が発生していない場合はパラレル変換によりデータを順番に並列化するだけであるが、インターフェース制御回路１２０が、トランシーバ１３０ａ〜１３０ｄから障害通知を受け取ることでリンク断を判断し、リンク断の状態をリンク状態信号２６０として並列化回路１１５に入力してきた場合は、並列化の順番を入れ替える。
【００８３】
すなわち、図７および図８に示すように、リンク５０ｂおよび５０ｃがリンク断である場合、ベースバンド信号３００を分割して並列化した信号の組であるベースバンド信号が、そのままの順番で各リンクに送信されないように、並列化の順番を入れ替えてインターフェース制御回路１２０に入力する。なお、リンク状態信号２６０は、出力選択回路２５５およびオーバーサンプリングフィルタ１００にも入力される。
【００８４】
ここで、並列化回路１１５で並列化の順番を入れ替える動作について図９に示すフローチャートを用いて説明する。
【００８５】
インターフェース制御回路１２０は、トランシーバ１３０ａ〜１３０ｄを介してリンク５０ａ、５０ｂ、５０ｃ、５０ｄ、すなわちリンク＃０〜＃ｄのリンク状態を順に確認しており（ステップＳ１１）、例えばｎ番のリンクについてリンク断であるか否かを判定する（ステップＳ１２）。この判定には、トランシーバ１３０ａ〜１３０ｄから障害通知を受け取ったか否かの情報を用いる。
【００８６】
そして、ｎ番のリンクがリンク断と判定した場合は、その番号が偶数番であるか否かを判定し（ステップＳ１３）、偶数番である場合はステップＳ１４に進み、奇数番である場合はステップＳ１９に進む。
【００８７】
ステップＳ１４では１番のリンクから順に奇数番のリンクのリンク状態を確認し、当該奇数番のリンクがリンク断であるか否かを判定する（ステップＳ１５）。そして、当該奇数番のリンクがリンク断ではないと判定された場合は、リンク断と判定されたｎ番（ここでは偶数番）のリンクと、信号の入れ替えが未実行であるかを判定する（ステップＳ１６）。なお、ステップＳ１５で奇数番のリンクがリンク断であると判定された場合はステップＳ１８に進む。
【００８８】
そして、ステップＳ１６でデータの入れ替えが未実行であると判定された場合は、リンク断の偶数番のリンクと、奇数番のリンクの信号の入れ替えを行うように並列化回路１１５を制御する（ステップＳ１７）。なお、ステップＳ１６で信号の入れ替えが実行済みと判定された場合はステップＳ１８に進む。
【００８９】
ステップＳ１８では、リンク状態が未確認の奇数番のリンクが残っているかを判定し、残っている場合はステップＳ１４以下の処理を繰り返し、残っていない場合はステップＳ１９に進む。
【００９０】
ステップＳ１９ではリンク状態が未確認のリンクが残っているかを判定し、残っている場合はステップＳ１１以下の処理を繰り返し、残っていない場合は一連の処理を終了する。なお、上記フローにおいて偶数番と奇数番を入れ替えても良い。
【００９１】
上記処理を図７および図８に示すように、リンク５０ｂおよび５０ｃがリンク断である場合に適用すると、リンク５０ｂ（リンク＃１）に与えられるベースバンド信号３１０ｂについてはそのままであるが、リンク５０ｃ（リンク＃２）に与えられるベースバンド信号３１０ｃは、リンク５０ｄ（リンク＃３）を介して送信されるはずであった｛（Ｉ３、Ｑ３）、（Ｉ７、Ｑ７）｝に入れ替えられ、リンク５０ｄ（リンク＃３）には、リンク５０ｃ（リンク＃２）を介して送信されるはずであった｛（Ｉ２、Ｑ２）、（Ｉ６、Ｑ６）｝に入れ替えられることとなる。
【００９２】
このようにして入れ替えたベースバンド信号はインターフェース制御回路１２０に入力され、インターフェース制御回路１２０を介してトランシーバ１３０ａ〜１３０ｄに入力され、トランシーバ１３０ａ〜１３０ｄのそれぞれは、パラレル信号となったベースバンド信号を、リンク５０ａ〜５０ｄを介してＲＲＨ６０のトランシーバ１４０ａ〜１４０ｄに送信する。しかし、リンク５０ｂ、５０ｃにおいてはリンク断が発生しているので、ベースバンド信号３１０ｃ、３１０ｂは、トランシーバ１４０ｂ、１４０ｃでは受信されない。
【００９３】
一方、トランシーバ１４０ａ、１４０ｄでそれぞれ受信したベースバンド信号３１０ａ、３１０ｄはインターフェース制御回路１５０に入力され、ベースバンド信号３２０ａ、３２０ｄとして出力選択回路２３５に出力される。
【００９４】
出力選択回路２３５では、インターフェース制御回路１５０から入力されるリンク状態信号２４０に基づいて、各リンクからの出力の遮断をするかどうかを決めるだけではなく、リンク断ではないリンク５０ａおよび５０ｄを通過したベースバンド信号３１０ａおよび３１０ｄが、リンク断が発生していない場合に並列化回路１１５で並列化される本来の順番に戻るように、出力ポートの入れ替えを行ってオーバーサンプリングフィルタ１７０に入力する。すなわち、出力選択回路２３５は、リンク断が発生していない場合は、インターフェース制御回路１５０から並列して入力されるパラレル信号を、各リンクに対応して設けられた複数の出力ポートからそのまま出力するだけであるが、リンク断が発生した場合には、上述したように、出力ポートの入れ替えを行ってパラレル信号を並べ替える。
【００９５】
ここで、出力選択回路２３５でベースバンド信号を並べ変える動作について図１０に示すフローチャートを用いて説明する。
【００９６】
インターフェース制御回路１５０は、トランシーバ１４０ａ〜１４０ｄを介してリンク５０ａ、５０ｂ、５０ｃ、５０ｄ、すなわちリンク＃０〜＃ｄのリンク状態を順に確認しており（ステップＳ２１）、例えばｎ番のリンクについてリンク断であるか否かを判定する（ステップＳ２２）。この判定には、トランシーバ１４０ａ〜１４０ｄから障害通知を受け取ったか否か、または受信データを受け取ったか否かを用いる。
【００９７】
そして、ｎ番のリンクがリンク断と判定した場合は、その番号が偶数番であるか否かを判定し（ステップＳ２３）、偶数番である場合はステップＳ２４に進み、奇数番である場合はステップＳ２９に進む。
【００９８】
ステップＳ２４では、１番のリンクから順に奇数番のリンクのリンク状態を確認し、当該奇数番のリンクがリンク断であるか否かを判定する（ステップＳ２５）。そして、当該奇数番のリンクがリンク断ではないと判定された場合は、リンク断と判定されたｎ番（ここでは偶数番）のリンクと、信号の入れ替えが未実行であるかを判定する（ステップＳ２６）。なお、ステップＳ２５で奇数番のリンクがリンク断であると判定された場合はステップＳ２８に進む。
【００９９】
そして、ステップＳ２６でデータの入れ替えが未実行であると判定された場合は、リンク断の偶数番のリンクと、奇数番のリンクの信号の入れ替えを行うように出力選択回路２３５を制御する（ステップＳ２７）。なお、ステップＳ２６で信号の入れ替えが実行済みと判定された場合はステップＳ２８に進む。
【０１００】
ステップＳ２８では、リンク状態が未確認の奇数番のリンクが残っているかを判定し、残っている場合はステップＳ２４以下の処理を繰り返し、残っていない場合はステップＳ２９に進む。
【０１０１】
ステップＳ２９ではリンク状態が未確認のリンクが残っているかを判定し、残っている場合はステップＳ２１以下の処理を繰り返し、残っていない場合はステップＳ３１に進む。
【０１０２】
ステップＳ３１では、１番のリンクから順に奇数番のリンクのリンク状態を確認し、当該奇数番のリンクがリンク断であるか否かを判定する（ステップＳ３２）。そして、当該奇数番のリンクがリンク断ではないと判定された場合は、リンク断と判定されたｎ番（ここでは偶数番）のリンクと、信号の入れ替えが未実行であるかを判定する（ステップＳ３３）。なお、ステップＳ３２で奇数番のリンクがリンク断であると判定された場合はステップＳ３５に進む。
【０１０３】
そして、ステップＳ３３でデータの入れ替えが未実行であると判定された場合は、当該奇数番のリンクから出力されるデータの出力を遮断（マスク）するようにリンク状態信号２４０を設定し、出力選択回路２３５に与える（ステップＳ３４）。
【０１０４】
その後ステップＳ３５に進み、リンク状態が未確認の奇数番のリンクが残っているかを判定し、残っている場合はステップＳ３１以下の処理を繰り返し、残っていない場合は一連の処理を終了する。なお、上記フローにおいて偶数番と奇数番を入れ替えても良いが、並列化回路１１５での処理と合わせる必要がある。
【０１０５】
上記処理を図７および図８に示すように、リンク５０ｂおよび５０ｃがリンク断である場合に適用すると、出力選択回路２３５に入力されたベースバンド信号３２０ａ、３２０ｄは、ベースバンド信号３２０ａについてはそのままベースバンド信号３３０ａとして出力されるが、ベースバンド信号３２０ｄは、リンク５０ｃ（リンク＃２）を介して送信されるはずであったベースバンド信号３１０ｃに対応するベースバンド信号３３０ｃとして出力される。なお、リンク５０ｄ（リンク＃３）から出力されるはずであったベースバンド信号３１０ｄ｛（Ｉ３、Ｑ３）、（Ｉ７、Ｑ７）｝はマスクされることとなる。
【０１０６】
このようにして、オーバーサンプリングフィルタ１７０には、ベースバンド信号３３０ａ｛（Ｉ０、Ｑ０）、（Ｉ４、Ｑ４）｝およびベースバンド信号３３０ｃ｛（Ｉ２、Ｑ２）、（Ｉ６、Ｑ６）｝が入力され、これらをオーバーサンプリングフィルタ１７０の低域帯通過フィルタに通すことで、周期的に入っていた０が、ベースバンド信号３００における（Ｉ１、Ｑ１）、（Ｉ３、Ｑ３）、（Ｉ５、Ｑ５）、（Ｉ７、Ｑ７）に復元され、ベースバンド信号３４０として出力することができる。
【０１０７】
なお、上記では下り通信の際にリンク断が生じた場合について説明したが、上り通信の際にリンク断が生じた場合は、信号の経路が変わるだけであり、ベースバンド信号３０１に対して、インターフェース制御回路１５０がリンク状態信号２４０を用いて並列化回路１６５での並列化の順番を入れ替え、また、インターフェース制御回路１２０がリンク状態信号２６０を用いて出力選択回路２５５を制御することで、オーバーサンプリングフィルタ１００からベースバンド信号３４１を出力することができる。
【０１０８】
図７および図８に示すように、リンク＃１および＃２がリンク断となった場合のベースバンド信号および周波数スペクトルについて、図１１を用いて説明する。
【０１０９】
図１１に示すように並列化回路１１５にはベースバンド信号２８１（周波数スペクトル２８５で表される）が入力されるが、リンク５０ｂ（リンク＃１）およびリンク５０ｃ（リンク＃２）が断状態となることで、ここを通るデータが欠落し、リンク＃０および＃３を通るデータのみでベースバンド信号３４２が構成される。
【０１１０】
ここで、ベースバンド信号３４２を図４を用いて説明した一般的なオーバーサンプリングフィルタ２７１に入力すると、ベースバンド信号３４２のうち、リンク＃０から出力されるデータを用いる場合は、リンク＃１、＃２、＃３から出力されるデータの代わりに０が補間され、ベースバンド信号３４３（周波数スペクトル２４７で表される）が構成される。
【０１１１】
また、ベースバンド信号３４２のうち、リンク＃３から出力されるデータを用いる場合は、リンク＃０、＃１、＃２から出力されるデータの代わりに０が補間され、ベースバンド信号２８４（周波数スペクトル２８８で表される）が構成される。
【０１１２】
図１１に示すように、ベースバンド信号３４３は、０補間によりサンプリング周波数を４倍に上げたデータとなり、ナイキスト周波数はサンプリング周波数の８分の１となる。従って、ベースバンド信号３８４に破線で示すエイリアシングｂ１が発生してしまう。
【０１１３】
また、ベースバンド信号２８４は、０補間によりサンプリング周波数を４倍に上げたデータとなり、ナイキスト周波数はサンプリング周波数の８分の１となる。従って、ベースバンド信号２８４に破線で示すエイリアシングａ１が発生してしまう。
【０１１４】
このように、ベースバンド信号３４２をそのままオーバーサンプリングフィルタ１７０に入力すると、オーバーサンプリングフィルタ１７０からの出力はエイリアシングを含んだものとなってしまう。
【０１１５】
これは、図１１に示すように、ベースバンド信号３４２が、ベースバンド信号３４３とベースバンド信号２８４の和として表すことができ、周波数スペクトル３４７および２８８のように、エイリアシングｂ１およびａ１が元の周波数スペクトル信号と重なってしまうためである。
【０１１６】
周波数スペクトル３４７および２８８のようにエイリアシングｂ１およびａ１が重なった状態のベースバンド信号３４２をオーバーサンプリングフィルタ１７０内の低域帯通過フィルタ２７３に通すと、正しく復元できず元のデータが得られないことになる。すなわち、ベースバンド信号３４２に対してベースバンド信号３４３および２８４がノイズとして影響することになる。
【０１１７】
エイリアシングを元の周波数スペクトルに重ねないためには、元の周波数スペクトルの帯域がサンプリング周波数の８分の１以内である必要がある。
【０１１８】
一方、図７および図８に示す実施の形態２のシリアルインターフェース回路を用いた場合、リンク＃２で送信するベースバンド信号をリンク＃３で送信するように入れ替えることで、オーバーサンプリングフィルタ１７０に入力されるベースバンド信号、周波数スペクトルはそれぞれ、図１１にも示されるベースバンド信号２８３、周波数スペクトル２８７と同一となり、周波数スペクトルを、周波数スペクトル２８５のように、スペクトル帯域をサンプリング周波数の４分の１に保ったまま復元することが可能となる。
【０１１９】
＜実施の形態３＞
以上説明した本発明に係る実施の形態２では、並列化回路において、リンク状態に応じて並列に送信するベースバンド信号の順番を変えたが、ベースバンド信号の送信側において、通過周波数帯をリンク状態に応じて動的に変える低域帯通過フィルタを設けた構成としても良い。
【０１２０】
以下、図１２および図１３に示すブロック図を用いて、本発明に係る実施の形態３のシリアルインターフェース回路について説明する。なお、図１２および図１３は１つのブロック図を分割して表した図であり、図中の破断線部分で結合することで１つの図となる。なお、図７および図８を用いて説明した実施の形態２のシリアルインターフェース回路と同一の構成については同一の符号を付し、重複する説明は省略する。
【０１２１】
図１３に示すように、並列化回路１１５の前段に低域帯通過フィルタ４５０を設け、インターフェース制御回路１２０から出力されるリンク状態信号２６０に基づいて低域帯通過フィルタ４５０の通過周波数帯を変える。また、図１２に示すように、並列化回路１６５の前段に低域帯通過フィルタ４６０を設け、インターフェース制御回路１５０から出力されるリンク状態信号２４０に基づいて低域帯通過フィルタ４６０の通過周波数帯を変える。
【０１２２】
ここで、図１４を用いて低域帯通過フィルタ４５０の構成を説明する。図１４に示すように、低域帯通過フィルタ４５０は、フィルタ係数Ａとフィルタ係数Ｂの一方を選択するセレクタＳＬと、フィルタ回路ＦＬとを有している。
【０１２３】
フィルタ係数Ａは、通過帯域をベースバンド信号のサンプリング周波数の４分の１とする係数であり、フィルタ係数Ｂは、通過帯域をベースバンド信号のサンプリング周波数の８分の１とする係数である。セレクタＳＬは、リンク状態信号２６０に基づいてフィルタ係数ＡおよびＢのどちらかを選択して出力する。なお、フィルタ係数は上記に限定されるものではなく、フィルタ係数の種類も２種類に限定されるものではない。また、フィルタ係数は予め準備し、不揮発メモリなどの記憶装置に格納しておき、セレクタＳＬから随時読み出すようにすれば良い。
【０１２４】
フィルタ係数を予め準備しておくことで、低域帯通過フィルタ４５０の構成を比較的簡単なものとできる。
【０１２５】
また、フィルタ回路ＦＬは、セレクタＳＬから入力されるフィルタ係数に基づいて通過周波数帯を設定し、設定された通過周波数帯に基づいてベースバンド信号３００の通過帯域を制限する。
【０１２６】
ここで、リンク数が４つの場合、リンク断が１つまたは２つの場合は、通過周波数帯を、ベースバンド信号のサンプリング周波数の４分の１とし、リンク断が３つの場合は、通過周波数帯を、ベースバンド信号のサンプリング周波数の８分の１とする。
【０１２７】
低域帯通過フィルタを設けることで、送信するベースバンド信号の周波数帯域を、予めオーバーサンプリングフィルタ１７０からの出力で保証される帯域にまで低減することにより、周波数スペクトルの折り重なりを防ぎ、それによりベースバンド信号のエイリアシングを防ぐことができる。
【０１２８】
その結果として、サンプリング周波数の４分の１までの帯域の周波数スペクトルを保ったまま、すなわち、リンク断により、受信側（ＲＲＨ側）のベースバンド信号３４０の帯域は、送信側のベースバンド信号３００の帯域より狭くなってしまう。例えば、リンク数４の場合、リンク断が１つあると、受信側のベースバンド信号３４０の帯域は、送信側（ＢＢＵ側）のベースバンド信号３００の帯域の半分となってしまう。
【０１２９】
このとき、送信側のベースバンド信号３００における、サンプリング周波数の４分の１から２分の１のスペクトルは、受信側ではエイリアシングにより周波数０〜サンプリング周波数の４分の１までの領域に折り重なってしまい、受信側の周波数スペクトルが崩れてしまう。そこで、リンク断が１つある場合は、送信側において低域帯通過フィルタ４５０により、予め周波数帯域をサンプリング周波数の４分の１にすることで、のエイリアシングを防ぎ、周波数スペクトルを保つことができる、送信するはずであったベースバンド信号を復元することができる。
【０１３０】
上述した効果について図１５および図１６を用いて説明する。図１５は、リンク＃１が断状態となった場合であって、低域帯通過フィルタを設けない場合の送信側および受信側のベースバンド信号および周波数スペクトルを示している。
【０１３１】
図１５に示すように、ベースバンド信号３００（周波数スペクトル２９０で表される）は−１／（２Ｔｓ）〜１／（２Ｔｓ）の範囲の周波数スペクトルを有しているが、一般に送信側のベースバンド信号３００の信号帯域はサンプリング周波数の２分の１までとなっている。このため、リンク断が１つある場合は送信可能な信号帯域がサンプリング周波数の４分の１となり、図１５に示される受信側のベースバンド信号３４０（周波数スペクトル２９１で表される）では、エイリアシングが発生し、本来の信号である実線の周波数スペクトル２９１に対して破線の周波数スペクトル２９２が重畳されて周波数スペクトルが崩れてしまう。
【０１３２】
一方、並列化回路１１０の前段に低域帯通過フィルタ４５０を設け、リンク断が発生した場合には、リンク状態信号２６０によって低域帯通過フィルタ４５０のセレクタＳＬ（図１４）を制御し、フィルタ係数ＡおよびＢのどちらかを選択する。ここで、リンク断が１つの場合はフィルタ係数Ａ（通過帯域をベースバンド信号のサンプリング周波数の４分の１とする）が選択され、フィルタ係数Ａに基づいてフィルタ回路ＦＬ（図１４）の通過特性が設定され、低域帯通過フィルタ４５０の通過周波数帯が動的に変わることとなる。
【０１３３】
図１６は、リンク＃１が断状態となった場合であって、低域帯通過フィルタを設けた場合の送信側および受信側のベースバンド信号および周波数スペクトルを示している。
【０１３４】
図１６に示すように、ベースバンド信号３００（周波数スペクトル２９０で表される）は−１／（２Ｔｓ）〜１／（２Ｔｓ）の範囲の周波数スペクトルを有しているが、低域帯通過フィルタ４５０に入力されることでベースバンド信号３００’（周波数スペクトル２９３で表される）となり、信号帯域が−１／（４Ｔｓ）〜１／（４Ｔｓ）の範囲に制限されることとなる。このため、リンク断により送信可能な信号帯域がサンプリング周波数の４分の１となった場合であっても、図１６に示される受信側のベースバンド信号３４０（周波数スペクトル２９４で表される）では、実線の周波数スペクトル２９４に対して破線の周波数スペクトル２９５は重畳されず、本来の周波数スペクトルを保つことができ、エイリアシングによる信号の劣化を防ぐことができる。
【０１３５】
なお、図１４の低域帯通過フィルタ４５０は、フィルタ係数ＡおよびＢを選択することで通過周波数帯を変更する構成となっていたが、リンク断の本数に基づいて低域帯通過フィルタ４５０でフィルタ係数を適宜設定する構成を採っても良い。
【０１３６】
すなわち、低域帯通過フィルタ４５０に演算処理回路（ＣＰＵ）を組み込み、リンク断の本数がリンク数全体の４分の１以下であれば、通過周波数帯を、ベースバンド信号のサンプリング周波数の４分の１に制限するフィルタ係数を設定し、リンク断の本数がリンク数全体の２分の１以下であれば、通過周波数帯を、ベースバンド信号のサンプリング周波数の８分の１に制限するフィルタ係数を設定し、リンク断の本数がリンク数全体の４分の３以下であれば、通過周波数帯を、ベースバンド信号のサンプリング周波数の１６分の１に制限するフィルタ係数を設定するようにしても良い。
【０１３７】
以下、図１７に示すフローチャートを用いて演算処理回路でのフィルタ係数の設定動作について説明する。
【０１３８】
低域帯通過フィルタ４５０において、インターフェース制御回路１２０から出力されるリンク状態信号２６０に基づいて、リンク断の本数（ｎ：０，１，・・・全数リンク数）を取得すると、演算処理回路では、リンク断のないリンクの本数が全体の１／（２ｎ）以上であるか否かを判定する（ステップＳ４１）。
【０１３９】
例えば、リンク数４本のうち１本がリンク断であれば、全体の３／４はリンク断のないリンクとなり、全体の４分の１以上となるのでステップＳ４１での判定はＹＥＳとなり、ステップＳ４２に進む。
【０１４０】
ステップＳ４２ではサンプリング周波数の１／（２（ｎ＋１））に制限するフィルタ係数を設定するので、リンク断が１本の場合（ｎ＝１）は、サンプリング周波数の４分の１に制限するフィルタ係数を設定することになる。
【０１４１】
同様にして、リンク数４本のうち２本がリンク断の場合は、サンプリング周波数の８分の１に制限するフィルタ係数を設定することになり、リンク数４本のうち３本がリンク断の場合は、サンプリング周波数の１６分の１に制限するフィルタ係数を設定することになる。なお、リンク断が０の場合は、一般的な値であるサンプリング周波数の２分の１に制限するフィルタ係数を設定することとなる。一方、全てのリンクが断状態にある場合は、リンク断のないリンクは０となり、全体の２分の１以上とはならないのでステップＳ４１での判定はＮＯとなり、一連の処理は終了する。
【０１４２】
リンク断の本数に基づいて低域帯通過フィルタ４５０でフィルタ係数を適宜設定する構成を採ることで、よりアクティブにリンク断に対処することができる。
【０１４３】
以上説明したように、本発明に係る実施の形態３のシリアルインターフェース回路では、送信するベースバンド信号の周波数帯域を、リンク断の状況に応じて動的に変えることができるので、周波数スペクトルの折り返しが発生するのを抑えながらベースバンド信号を復元することができる。
【０１４４】
なお、上記では下り通信の際にリンク断が生じた場合について説明したが、上り通信の際にリンク断が生じた場合は、信号の経路が変わるだけであり、ベースバンド信号３０１を低域帯通過フィルタ４６０を通して通過周波数帯を変更することになる。
【０１４５】
＜Ｉ／Ｑデータのサンプリング＞
本発明で扱うＩ／Ｑデータは、例えばＱＰＳＫ、１６ＱＡＭ（Quadrature Amplitude Modulation）、ＯＦＤＭといった、搬送波を変調するための変調信号である。
【０１４６】
参考までにＩ／Ｑデータのサンプリングについて図１８を用いて説明する。図１８には、ベースバンド信号として｛（Ｉ１、Ｑ１）、（Ｉ２、Ｑ２）、（Ｉ３、Ｑ４）、（Ｉ５、Ｑ５）｝を示している。なお、サンプリング周期はＴｓとする。
【０１４７】
また、Ｉ／Ｑコンステレーション図に対して、ＩデータおよびＱデータの時系列変化も示している。Ｉデータの時系列変化において、Ｉ０とＩ１の間で１サンプリング周期Ｔｓが定義され、Ｑデータの時系列変化において、Ｑ０とＱ１の間で１サンプリング周期Ｔｓが定義される。
【０１４８】
なお、本発明は、その発明の範囲内において、各実施の形態を自由に組み合わせたり、各実施の形態を適宜、変形、省略することが可能である。
【符号の説明】
【０１４９】
４０  ＢＢＵ、６０  ＲＲＨ、１００，１７０  オーバーサンプリングフィルタ、１１０，１６０  並列化回路、１２０，１５０  インターフェース制御回路、２３０，２３５，２５０  出力選択回路、２４０，２６０  リンク状態信号、４５０，４６０  低域帯通過フィルタ。
【図１】
2017208759.tif 000003
【図２】
2017208759.tif 000004
【図３】
2017208759.tif 000005
【図４】
2017208759.tif 000006
【図５】
2017208759.tif 000007
【図６】
2017208759.tif 000008
【図７】
2017208759.tif 000009
【図８】
2017208759.tif 000010
【図９】
2017208759.tif 000011
【図１０】
2017208759.tif 000012
【図１１】
2017208759.tif 000013
【図１２】
2017208759.tif 000014
【図１３】
2017208759.tif 000015
【図１４】
2017208759.tif 000016
【図１５】
2017208759.tif 000017
【図１６】
2017208759.tif 000018
【図１７】
2017208759.tif 000019
【図１８】
2017208759.tif 000020